(57)【特許請求の範囲】
【請求項１】
前側開放部を前板で開閉可能に被蓋したフード体と、該フード体の前側開放部に向けて前記フード体内に上向き傾斜状に斜設された仕切板と、該仕切板上方の前記フード体内の空間に配置された送風機と、該送風機の前方に配置されその周囲に吸込空間を形成する整流板とを備えたレンジフードファンであって、
前記仕切板に、前記整流板の下端位置の前方まで前記前板側に連続して延長する延長部を形成し、該延長部と前記フード体内面との間に前記吸込空間を形成すると共に、前記整流板から滴下する油脂分を受け止め且つベルマウスの真下を経由してフード体周面の任意な面寄り迄至るオイルラインを形成し、該オイルラインの下端部にその任意な面に設けたオイルパックへの排出口を開口しており、
前記送風機のファンケーシング胴部の下端部におけるファンが丁度向き合う部分を外した高圧力が作用しない両端部位各々に一個づつ若しくは複数個のオイル抜き孔を開孔し、このオイル抜き孔に前記オイルラインが臨ませてあることを特徴とするブーツ型レンジフードファン。
【発明の詳細な説明】
【０００１】
【発明の属する技術分野】
本発明は、ブーツ型レンジフードファン、更に詳しくは室内への廃ガスの漏気を防止して、廃ガスの捕獲効率を向上させるブーツ型レンジフードファンに関するものである。
【０００２】
【従来の技術】
平型レンジフードファンには整流板ガイド方式と呼称されるタイプのものがある。
この整流板ガイド方式は、フード体のその開放部から一段奥張った位置にフィルタを着脱可能に設け、そのフィルタの上流側にフード体の開放縁との間に吸込空間を確保する整流板を配設して、整流板周りに吸込み力を集中させてフード体の開放縁からの室内への漏気を防止し、廃ガス捕獲効率を向上させようと言うものである。
フード体の開放部から一段奥張った位置にフィルタを設けて、その前方を廃ガス捕獲空間を確保し、そのフィルタの背後に送風機を配設した整流板不使用の旧来のレンジフードファンは、その送風機がフィルタの丁度中央部背後に配設されている関係で、調理器具から立ち昇り、上昇するに伴って四方に拡散する廃ガスに吸込み力が効果的に作用しないことから、フード体の開放縁から室内に漏気してしまう。この点を整流板による案内作用で解決している。
【０００３】
ところで、前記する平型レンジフードファンに限らず、懐が深いブーツ型レンジフードファンにおいても焼魚等で多量に煙が発生した場合等を考慮して送風機の前方に整流板を配設するのが好適である。
整流板を設けると、仕切板に沿って上昇してくる途中で吸込み力が有効に作用せずにフード体の側面後部側から室内に漏気しがちになる廃ガスにも吸込み力を効果的に作用させて引き寄せることが可能になる。
この時、実際問題としてその整流板にも油脂分が多量に付着し、表面に沿って流下することから、その回収手段を必要とする。
回収手段としては、フィルタを支承する縦断面視上向きコ形状のフィルタ桟と同様な構造で整流板の下端を支承することが提案されるものの、この桟は整流板専用に製作するにしても整流板の厚みよりも一回り大きな内幅寸法に形成されていることから、長期の使用で油脂分が溢れ、下方に滴下し調理器具等を汚してしまう。
【０００４】
【発明が解決しようとする課題】
本発明は上記従来事情に鑑みてなされたもので、その技術的課題は、送風機の前方にフード体外への廃ガスの漏気を防止すべく設けた整流板を伝って流下する油脂分を廃ガス上昇の障害物にならない構造簡単の油受け兼用の仕切構造で受け止め、尚且つその整流板から流下する油脂分を整流板周囲に確保される吸込空間の吸引力で後方に速やかに案内することである。  他の技術的課題は、前記油受け兼用の仕切構造で受け止められた油脂分を廃ガス上昇の妨げにならない排出手段で排出することである。
更に他の技術的課題は、鉛直状態の送風機内に溜まる油脂分を溜まるはしから前記する油受け兼用の仕切構造に案内することである。
【０００５】
上記目的を解決するために講じた技術的手段は、前側開放部を前板で開閉可能に被蓋したフード体と、該フード体の前側開放部に向けて前記フード体内に上向き傾斜状に斜設された仕切板と、該仕切板上方の前記フード体内の空間に配置された送風機と、該送風機の前方に配置されその周囲に吸込空間を形成する整流板とを備えたレンジフードファンであって、前記仕切板に、前記整流板の下端位置の前方まで前記前板側に連続して延長する延長部を形成し、該延長部と前記フード体内面との間に前記吸込空間を形成すると共に、前記整流板から滴下する油脂分を受け止め且つベルマウスの真下を経由してフード体周面の任意な面寄り迄至るオイルラインを形成し、該オイルラインの下端部にその任意な面に設けたオイルパックへの排出口を開口しており、前記送風機のファンケーシング胴部の下端部におけるファンが丁度向き合う部分を外した高圧力が作用しない両端部位各々に一個づつ若しくは複数個のオイル抜き孔を開孔し、このオイル抜き孔に前記オイルラインが臨ませてあることを特徴とする。
【０００６】
【作用】
前記技術的手段によれば、下記の作用を奏する。
一つには、本ブーツ型レンジフードファンは、整流板、送風機から滴下する油脂分の全てを前板側に向く上向きな傾斜面からなる仕切板で受け止めて、下方への滴下を防止する。また、整流板と仕切板との間に形成された廃ガス吸込空間の吸込力が、整流板から仕切板に流下した油脂分に後方への流下勢力を付与して仕切板の後端部側に速やかに送り込む。
また、本ブーツ型レンジフードファンは、整流板から滴下する油脂分を受け止め更にベルマウスの直下を経由してフード体の周面寄りに導くオイルラインを形成している。このオイルラインは浅底であれば良いことから、廃ガスが衝突してその上昇を妨害する大きな障害物になることなく、整流板、ベルマウスとの取付部分から漏れ出る油脂分をオイルパックへと確実に排出する。
更には、本ブーツ型レンジフードファンは、ファンケーシング内に停滞する油脂分が集中する低圧力なエリアに開孔したオイル抜き孔からオイルラインへの油抜きを行う。
【０００７】
【発明の実施の形態】
次に、本発明の実施の形態を説明する。
図１乃至図３は本発明ブーツ型レンジフードファンの第１の実施の形態を示し、図４乃至図６は第２の実施の形態を示している。まず第１の実施の形態を説明すると、符号Ａはそのレンジフードファンである。
【０００８】
このブーツ型レンジフードファンＡは、前側開放部を前板２で開閉可能に被蓋したフード体１の中高部位に前板２側に向けて上向き傾斜状の仕切板３を斜設し、仕切板３上方の空間の背面寄りの位置に送風機４を、その直前に前方パネル５と、整流板６とを配し、その前方パネル５にフィルタ７を抜き差し可能に組み付けた構成になっている。
【０００９】
前記仕切板３は、従来と同様にその前縁を除く３縁をフード体１の背面１１、両側面２１、２１にスポット溶接等適宜手段で水密状に固定され、前縁を図１に示すように送風機４直前の前方パネル５の前方に配置する整流板６の下端延長鉛直線上よりも前方まで連続して延長させてある。
【００１０】
前方パネル５は、送風機４の直前に接近状となる仕切板３位置とフード体１の天面３１位置とに横設された縦断面視コ型状の支持枠１５、１５にその下縁と上縁とを抜き差し可能に支承して、前記仕切板３上方の空間を送風機４側の空間とその前方の空間とに分断するようになっている。
【００１１】
フィルタ７は、送風機４の吸気口３４と丁度相対する前方パネル５部分にその吸気口３４よりも一回り大きな面積をもって開口されている装着口２５の上縁、下縁とに設けられたフィルタ桟１７、１７にその装着口２５を閉塞するように抜き差し可能に支承されている。
【００１２】
また、前記下側の支持枠１５には、底面と後面部とに亘る適宜長さ寸法の排油孔１５ａが長さ方向に適宜間隔をおいて穿設されている。
【００１３】
整流板６は、前記前方パネル５よりも一回り小さな面積を有してなり、前方パネル５の下位部分の表面に設けられている左右一対の受け腕８、８に下端側を載承した状態で、前方パネル５の上位部分に固定した左右一対の取付腕９、９にネジ１００止めすることによって装設して、周囲と前記延長部１３、フード体１内面との間に廃ガス吸込空間Ｘを形成している。
【００１４】
また、符号２３は仕切板３に形成したオイルラインであり、このオイルライン２３は、図１乃至図３に示すように拡開部を前記下側の支持枠１５よりも前方に位置させるように平面視略漏斗状をもって仕切板３成形時にプレス成形することによって凹設形成した案内凹部であり、フード体１の背面１１寄りに位置する後方側の窄み部に排出口２３ａを開口し、同背面１１に係脱可能に設けられているオイルパック１０にその排出口２３ａを臨ませてある。
このオイルライン２３は、ベルマウス２４及びファンケーシング１４の直下を経由させてあり、また前記拡開部は、両サイドの排油孔１５ａよりも拡開して全ての排油孔１５ａから排出される油脂分を前記排出口２３ａに流下させるようにしてある。
符号３３は仕切板３前縁の立ち上がり片であり、短寸法をもって立ち上げ形成してある。
【００１５】
送風機４は、小型なシロッコファンであり、ボリュート形状の胴部１４ａの左右の側板１４ｂ、１４ｂをスポット溶接や加締固定して製作したファンケーシング１４の前側の側板１４ｂに開口４４を設け、その開口４４にベルマウス２４を取付けて吸気口３４を形成し、後側の側板１４ｂの開口４４を塞ぐようにファン取付軸（図示せず）を回転駆動可能に有するファンモータ５４を取付け、その取付軸（図示せず）にファン（シロッコファン）６４を軸着して構成されている。
【００１６】
このファンケーシング１４は、前記胴部１４ａの上縁及び両側板１４ｂ、１４ｂの上縁に外向きに取付フランジ１４ｃ…を折曲して吐出口１４ｄを囲繞形成し、その取付フランジ１４ｃ…をフード体１の天面３１に取付けることによって縦向き鉛直方向を向いて設置するようになっている。
【００１７】
また、このファンケーシング１４には胴部１４ａの下端部において高圧力エリアＳから外れた低圧力エリアＳ１にオイル抜き孔７４を開孔している。
【００１８】
この高圧力エリアＳは、ボリュートの中心直下である胴部１４ａ下端部分においてファン６４が丁度向き合う部分であり、この部分にはファン６４の遠心方向に高風圧が作用する。この高風圧が作用しない両サイドの低風圧エリアＳ１、Ｓ１に１個づつまたは複数個のオイル抜き孔７４、７４を開孔している。
無論、このオイル抜き孔７４、７４は、前記オイルライン２３に臨ませてある。
【００１９】
前記低風圧エリアＳ１は、シロッコファンの大きさによって若干の差異はあるものの、各々１５ｍｍ程度確保されており、オイル抜き孔７４が一個の場合には中央部位に例えば５ｍｍ程度の大きさの三角形、四角形、星形等の多角形状をもって開孔され、複数個の場合には２乃至３個程度同形、異形をもって隣設状に開孔してある。
また、このオイル抜き孔７４は、胴部１４ａ縁から切欠状に開孔してあっても良いものである。
【００２０】
このように構成されているブーツ型レンジフードファンでは、整流板６周囲の廃ガス吸込空間Ｘに吸込み力を集中させて廃ガスを吸引する。
そして、整流板６の表面を伝って流下する油脂分をオイルライン２３に案内し、またフィルタ７及び前方パネル５の表面を伝って流下する油脂分も支持枠１５の排油孔１５ａからオイルライン２３に案内し、またフィルタ７で吸着除去されずに内部に送り込まれてファン６４で吹き飛ばされてファンケーシング１４に付着し、高圧力エリアＳを避けて低圧力エリアＳ１へと移動する油脂分を移動するはしからオイル抜き孔７４からオイルライン２３に排出し、ベルマウス２４のファンケーシング１４への取付部の隙間から溢れ出る油脂分もオイルライン２３で受け止めることができる。
そして、下端の排出口２３ａに集中させ、そこからオイルパック１０に滴下させる。
また、整流板６と仕切板３との間に形成された廃ガス吸込空間Ｘの吸込力を、整流板６から仕切板３に滴下した油脂分に後方に押し遣る強制力として有効利用して、仕切板の前方側で油脂分が停滞することを防止する。
【００２１】
次に図４乃至図６に示す第２の実施の形態を説明すると、この実施の形態は、フィルタレスのブーツ型レンジフードファンを示している。
【００２２】
この実施の形態は、送風機４のファンケーシング１４に添接する前面パネル５’を前記延長部１３部分の上面に重合したＬ型材４３のその起立片４３ａとフード体１の天面３１等のフード体構成面とにネジ１００止めし、その前面パネル５’とは別体なベルマウス２４を同パネル５’に取付け、そしてその前面パネル５’に前記実施の形態と同様に延長部１３部分と、フード体１の内面との間に廃ガス吸引空間Ｘを形成する整流板６を着脱可能に取付けている。
符号３５が、前面パネル５’をフード体１の天面３１に取付けるための折曲フランジであり、その上縁または上縁と左右縁に折曲形成されている。
【００２３】
【発明の効果】
本発明は以上のように構成したので、下記の利点がある。
一つには、送風機から漏れ出たり、その前方の整流板から滴下する油脂分を下方に滴下不能に仕切板で受け止めることができる。しかも、仕切板の前板側への延長によってフード体周面（側板と背板）とで自ずと大容量の油溜部が構成されるものであるから、メンテナンス周期を長く切望する今日のニーズに最適なブーツ型レンジフードファンを廉価で提供可能となる。しかも、整流板と仕切板との間に形成された廃ガス吸込空間の吸込力が、整流板から仕切板に滴下した油脂分に後方への流下勢力を付与して仕切板の後端部側に速やかに送り込むようになるから、仕切板が緩傾斜であったり、油脂分の粘性が混入物で比較的高粘性になり滴下位置で止まって障害物となり、それが引き金になって仕切板前端から調理器具等に滴下するような虞れも無くなる。
また、整流板から滴下する油脂分と共にベルマウスの取付部から漏れ出る油脂分をオイルラインでフード体周面の任意な面寄りに導き、そこからオイルパックに案内するようにした場合には、仕切板を油脂分の流下体として利用して停滞させずに外部に排出することができ、無論、オイルラインは、仕切板に凹設形成するにしても浅底であれば良いことから、廃ガスが衝突してその上昇を妨害する大きな障害物になることもない。
更には、ファンケーシングの胴部下端部内の高圧力が作用しない両端部位、即ち油脂分が集中する低圧力なエリアに一個づつ若しくは複数個のオイル抜き孔を開孔して、溜まるはしから油脂分をオイルラインに導き、そこから、フード体に設けたオイルパックに排出するようになっているから、送風機を傾斜させて一個所にファンケーシング内に停滞する油脂分を集中させた従来例のように送風機の出口部分が極端に曲がって圧力損失が大きくなったり、排気ダクトの長尺化で排気効率が悪くなることも無くなる。
【００２４】
また、請求項１の実施の形態ではオイルラインを敢えて形成しない場合も包含するものである。
仕切板３を前板２側に連続して延長させてあることから、仕切板３上の側面視三角形状のエリアを大容量の油溜め部として理由することができ、メンテナンス周期を長く切望する今日のニーズに適したものとなる。
この実施の形態の場合には、フード体１の側面２１後方下端域に適宜開閉可能なドレン栓を設け、他の個所に配設したオイルパンに回収する等適宜回収手段で対処すれば良いものである。
【００２５】
【発明の効果】
本発明は以上のように構成したので、下記の利点がある。
（請求項１）送風機から漏れ出たり、その前方の整流板から滴下する油脂分を下方に滴下不能に仕切板で受け止めることができる。しかも、仕切板の前板側への延長によってフード体周面（側板と背板）とで自ずと大容量の油溜部が構成されるものであるから、メンテナンス周期を長く切望する今日のニーズに最適なブーツ型レンジフードファンを廉価で提供可能となる。
しかも、整流板と仕切板との間に形成された廃ガス吸込空間の吸込力が、整流板から仕切板に滴下した油脂分に後方への流下勢力を付与して仕切板の後端部側に速やかに送り込むようになるから、仕切板が緩傾斜であったり、油脂分の粘性が混入物で比較的高粘性になり滴下位置で止まって障害物となり、それが引き金になって仕切板前端から調理器具等に滴下するような虞れも無くなる。
（請求項２）また、整流板から滴下する油脂分と共にベルマウスの取付部から漏れ出る油脂分をオイルラインでフード体周面の任意な面寄りに導き、そこからオイルパックに案内するようにした場合には、仕切板を油脂分の流下体として利用して停滞させずに外部に排出することができ、無論、オイルラインは、仕切板に凹設形成するにしても浅底であれば良いことから、廃ガスが衝突してその上昇を妨害する大きな障害物になることもない。
（請求項３）ファンケーシングの胴部下端部内の高圧力が作用しない両端部位、即ち油脂分が集中する低圧力なエリアに一個づつ若しくは複数個のオイル抜き孔を開孔して、溜まるはしから油脂分をオイルラインに導き、そこから、フード体に設けたオイルパックに排出するようになっているから、送風機を傾斜させて一個所にファンケーシング内に停滞する油脂分を集中させた従来例のように送風機の出口部分が極端に曲がって圧力損失が大きくなったり、排気ダクトの長尺化で排気効率が悪くなることも無くなる。
【図面の簡単な説明】
【図１】  第１の実施の形態の側面図で一部切欠して示す。
【図２】  要部の部分拡大断面図。
【図３】  仕切板、前方パネル、フィルタ、整流板の関係を示す分解斜視図。
【図４】  第２の実施の形態の側面図で一部切欠して示す。
【図５】  要部の部分拡大断面図。
【図６】  仕切板、前面パネル、整流板の関係を示す分解斜視図。
【符号の説明】
４：送風機                          ３：仕切板
６：整流板                          １：フード体
１３：延長部                        Ｘ：廃ガス吸込空間
２４：ベルマウス            １１、２１：フード体周面（背面、側面）
２３：オイルライン                １０：オイルパック
１４：ファンケーシング          ２３ａ：排出口
１４ａ：胴部                      ７４：オイル抜き孔
５：前方パネル                    ５’：前面パネル
【図１】
0004221082.tif 000002
【図２】
0004221082.tif 000003
【図３】
0004221082.tif 000004
【図４】
0004221082.tif 000005
【図５】
0004221082.tif 000006
【図６】
0004221082.tif 000007